(57)【要約】【課題】予備加熱プレートの温度を一定に保ち、ウェブへの加熱量をウェブの進行方向に対して一定に保つことが可能な印刷装置を提供する。【解決手段】前記予備加熱プレートをウェブＷの進行方向に複数枚配置し、予備加熱プレート上を走行するウェブＷを予備加熱する印刷装置において、ウェブＷを最初に予備加熱するプレートでは、設定している予備加熱プレートを制御する温度によって、加熱手段を単位時間当たりに発熱させる時間の比率（発熱比率）を選択して、温度制御する。【選択図】          図２
2004219864.tif 000002
【特許請求の範囲】
【請求項１】
加熱手段を内蔵する予備加熱プレートと予備加熱プレートの温度を検出する温度センサを有し、前記温度センサが検出した温度に基づいて前記予備加熱プレートを任意の温度に制御できる温度制御手段を有し、前記予備加熱プレートをウェブＷの進行方向に複数枚配置し、予備加熱プレート上を走行するウェブＷを予備加熱する印刷装置において、
ウェブＷを最初に予備加熱するプレートでは、予備加熱プレートを制御する設定温度によって、加熱手段を単位時間当たりに発熱させる発熱比率を選択して、温度制御することを特徴とする多段予備加熱プレート定着装置の温度制御方法。
【請求項２】
前記多段予備加熱プレート定着装置の温度制御方法において、
最初に予備加熱するプレート以外の予備加熱プレートでは、１つ前で予備加熱プレートの設定している温度とその予備加熱プレートの設定している温度との温度差に基づいて、基本となる加熱手段の発熱比率を変えて温度制御することを特徴とする請求項１記載の多段予備加熱プレート定着装置の温度制御方法。
【発明の詳細な説明】
【０００１】
【発明の属する技術分野】
本発明は、電子写真式の画像記録装置に使用され、ウェブＷ上のトナー像を溶融定着する多段予備加熱プレート定着装置の温度制御方法に関するものである。
【０００２】
【従来の技術】
予備加熱プレート定着装置の温度を検出する温度センサの検出温度が、予め設定されている制御温度より低い場合に加熱手段を発熱し、高い場合には加熱手段を発熱しないことによって温度制御を実施している。
【０００３】
【発明が解決しようとする課題】
ところで、上記のような予備加熱プレート定着装置の温度制御をした場合、制御目標温度より低くなった場合に加熱手段の発熱を開始するため、加熱手段が発熱を開始するまでの遅れ、加熱手段が発熱してから予備加熱プレートに熱が伝わるまでの遅れなどにより、制御目標温度を大きく下回わった後に温度上昇が開始される。
【０００４】
また、制御目標温度より高くなった場合に加熱手段の発熱を停止するため、それ以前に加熱手段により加えられていた熱量が予備加熱プレートに遅れて伝わるため、制御したい温度を大きく上回ってから温度下降が開始される。この２つの状態が繰り返されることにより、ウェブＷを予備加熱する熱量が、ウェブＷの進行方向に対して、均一にならない。
【０００５】
本発明の目的は、予備加熱プレートの温度を一定に保ち、ウェブへの加熱量をウェブの進行方向に対して一定に保つことが可能な印刷装置を提供することにある。
【０００６】
【課題を解決するための手段】
上記課題を解決する為、本発明では、予備加熱プレートを持つ印刷装置において、ウェブの進行方向に沿って複数枚の自由に温度を設定することが可能な多段階予備加熱プレートを有し、ウェブＷを最初に予備加熱するプレートでは、予備加熱プレートを制御する温度によって加熱手段を発熱させる基本となる発熱比率を選択し、また、最初に予備加熱するプレート以外の予備加熱プレートでは、１つ前の予備加熱プレートの設定している温度と、その予備加熱プレートの設定している温度との温度差によって、加熱手段を発熱させる基本となる発熱比率を選択し、それぞれの予備加熱プレートの制御温度と検出温度の温度差と検出温度の単位時間当たりの温度変化によって選択した発熱比率を変化させて温度制御する手段を有することにより達成される。
【０００７】
【発明の実施の形態】
以下、本発明の実施例について、図面を参照しながら説明する。
【０００８】
まず、本実施例における望ましい構成例として、加熱ローラ１と加圧ローラ３によって加熱定着される前の段階として、多段階に段階毎に自由に温度を設定することが可能な多段階予備加熱プレートＹで予備加熱されるが、ウェブＷの連量（厚み）によって各段階の温度を設定する必要がある。この各段階の設定温度は、ウェブＷにしわを発生させない為に加熱ローラ１と加圧ローラ３から遠いプレートの温度が一番低く、近づくにつれて徐々に設定温度を上げるように設定している。最初に予備加熱するプレートの温度をＴ１、次のプレートの温度をＴ２、・・・・・Ｎ−１段目のプレートの温度をＴＮ−１、Ｎ段目のプレートの温度をＴＮとした場合、以下の条件を満たす場合に関して、以下実施例を述べていく。
【０００９】
Ｔ１≦Ｔ２≦・・・・・・≦ＴＮ−１≦ＴＮ
また、説明を容易にするために、多段階に段階毎に自由に温度を設定することが可能な多段階予備加熱プレートＹの段階数を２段階として、以下実施例を述べていく。
【００１０】
図１において、ウェブＷは印刷装置Ｐの内部でトナー像（図示せず）を乗せた状態で、予備加熱プレートＹで予備加熱され、加熱ローラ１と加圧ローラ３によって加熱定着される。この時、図２において、予備加熱プレートＹ上に突入する前のウェブＷの温度をＴ０とし、このＴ０は印刷装置の環境温度と同等である。
【００１１】
１段目の予備加熱プレートＹ１の設定温度をＴ１、２段目の予備加熱プレートＹ２の設定温度をＴ２、ウェブＷが１段目の予備加熱プレートＹ１から単位時間当たりに受け取る熱量をＱ１、ウェブＷが２段目の予備加熱プレートＹ２から単位時間当たりに受け取る熱量をＱ２とすると、Ｔ１−Ｔ０が大きければ大きいほどＱ１は大きくなり、小さければＱ１も小さくなる。つまり、Ｔ０はほぼ一定であることから、Ｑ１はＴ１の設定によって変化することになる。
【００１２】
また、１段目の予備加熱プレートＹ１で温められたウェブＷが２段目の予備加熱プレートＹ２にに入る時のウェブＷの温度は、Ｔ１に依存していて、Ｔ１の温度が高い場合は高くなり、低い場合は低くなる。その為、Ｔ１とＴ２の温度差が大きければ大きいほどはＱ２は大きくなり、小さければＱ２も小さくなる。つまり、印刷装置の環境温度と同等であるウェブＷの温度Ｔ０と１段目の予備加熱プレートＹ１の設定温度Ｔ１、２段目の予備加熱プレートＹ２の設定温度Ｔ２によってＱ１，Ｑ２が変化する。
【００１３】
このことより、Ｔ０，Ｔ１，Ｔ２からＱ１，Ｑ２を求めることができ、Ｑ１，Ｑ２が予め分かっていれば、１段目の予備加熱プレートＹ１の熱効率をα１とした時、加熱手段Ｋ１はＱ１＝α１Ｄ１となる発熱量Ｄ１を発生させる為の発熱比率で、発熱すればよい。
【００１４】
同様に、２段目の予備加熱プレートＹ２の熱効率をα２とした時、加熱手段Ｋ２はＱ２＝α２Ｄ２となる発熱量Ｄ２を発生させる為の発熱比率で発熱すればよい。
【００１５】
ここでいう発熱比率とは、加熱手段の基本となる１周期をｔとする場合、図３に示すように、１周期内に加熱手段Ｋ１の加熱ドライブ信号ＫＤ１のドライブ時間をΔｔ１とした場合、Ｔ１の温度が低い場合はΔｔ１を短くし、Ｔ１の温度が高い場合はΔｔ１を長くすることで変化させる。
【００１６】
また、同様に図４に示すように、１周期内に加熱手段Ｋ２の加熱ドライブ信号ＫＤ２のドライブ時間をΔｔ２とした場合、Ｔ２とＴ１の温度差が小さい場合はΔｔ２を短くし、Ｔ２とＴ１温度差が大きい場合はΔｔ２を長くすることで変化させる。
【００１７】
これにより、予備加熱プレートＹは、ウェブＷにとられる熱量と加熱手段Ｋが供給する熱量とが単位時間当たりに同じになり、この発熱比率で１段目、２段目とも常に加熱手段を発熱することで、予備加熱プレートＹの温度は一定に保たれ、ウェブＷの進行方向に対して均一熱量を供給することができる。
【００１８】
以上の説明した制御により、設定温度が変わった場合においても、ウェブＷの予備加熱をウェブＷの進行方向に対して同じ熱量を供給することが可能となり、トナー像の定着性能を一定に保つことが可能な多段階予備加熱プレートＹの温度制御を提供することができる。
【００１９】
【発明の効果】
以上述べたように本発明によれば、予備加熱プレートＹの設定温度が変わった場合においても、予備加熱プレートＹを制御する温度によって加熱手段を発熱させる基本となる発熱比率を選択し発熱させることで、予備加熱プレートＹの温度を一定に保つことが可能となる。
【００２０】
つまり、ウェブＷの予備加熱する熱量をウェブＷの進行方向に対して一定に保つことが可能となる。
【図面の簡単な説明】
【図１】印刷装置単体の全体構成である。
【図２】ウェブＷと予備加熱プレートＹと加熱手段Ｋの熱量の関係を示す模式図である。
【図３】過熱ドライブ信号ＫＤ１のドライブ時間を表わすグラフである。
【図４】過熱ドライブ信号ＫＤ２のドライブ時間を表わすグラフである。
【符号の説明】
Ｐ…印刷装置、Ｗ…ウェブ、Ｙ…予備加熱プレート、１…加熱ロール、２…加圧ロール、Ｔ０…ウェブ温度、Ｔ１…１段目予備加熱プレート設定温度、Ｔ２…２段目予備加熱プレート設定温度、Ｑ１…１段目予備加熱プレートからウェブＷが単位時間当たりに受け取る熱量、Ｑ２…２段目予備加熱プレートからウェブＷが単位時間当たりに受け取る熱量、Ｙ１…１段目予備加熱プレート、Ｙ２…２段目予備加熱プレート、Ｋ１…１段目予備加熱プレート加熱手段、Ｋ２…２段目予備加熱プレート加熱手段、α１Ｄ１…１段目予備加熱プレート加熱手段から予備加熱プレートが供給される熱量、α２Ｄ２…２段目予備加熱プレート加熱手段から予備加熱プレートが供給される熱量、ｔ…加熱手段の基本となる１周期、ＫＤ１…加熱手段Ｋ１の加熱ドライブ信号、ＫＤ２…加熱手段Ｋ２の加熱ドライブ信号、Δｔ１…加熱ドライブ信号ＫＤ１のドライブ時間、Δｔ２…加熱ドライブ信号ＫＤ２のドライブ時間である。
【図１】
2004219864.tif 000003
【図２】
2004219864.tif 000004
【図３】
2004219864.tif 000005
【図４】
2004219864.tif 000006